(57)【要約】      （修正有）【課題】端部床目地プレートをスライド移動可能に支持する支持レールが不要で、簡単な構造で異なる前後方向の揺れ動き時を吸収することができる床用目地装置を提供する。【解決手段】左右の躯体４，４間を覆う床用目地装置１において、一方の床躯体４に後端部が取付けられ、先端部が他方の床躯体４上をスライド移動する端部床目地プレート１１と、この端部床目地プレート１１の後端部の床躯体４に後端部が枢支され、先端部が他方の床躯体４上をスライド移動する可動床目地プレート１３と、この可動床目地プレート１３の先端部が他方の躯体の側壁３によって押し圧された場合に、該可動床目地プレート１３を端部床目地プレート１１上へ導く可動床目地プレート押し上げ手段１４と、押し上げられた可動床目地プレート１３を元の位置へ復帰させる復帰手段１５とで床用目地装置１を構成している。【選択図】図１１
2011052438.tif 000002
【特許請求の範囲】
【請求項１】
目地部を介して設けられた両側壁を有する左右の躯体の両側壁側を除く部位の一方の床躯体に後端部が取付けられ、先端部が他方の床躯体上をスライド移動する浅皿状の床目地プレート本体を用いた中央床目地プレートと、この中央床目地プレートの両端部に位置するように一方の床躯体に後端部が取付けられ、先端部が他方の床躯体上をスライド移動する、該先端部が小幅寸法となる浅皿状の端部床目地プレート本体を用いた端部床目地プレートと、この端部床目地プレートの後端部の前記両側壁寄りの部位の一方の床躯体に後端部が枢支され、あるいは該端部床目地プレートの後端部寄りの部位に枢支され、先端部が他方の床躯体上をスライド移動する、該先端部が大きな幅寸法となり、かつ前記端部床目地プレートとでほぼ長方形上となる浅皿状の可動床目地プレート本体を用いた可動床目地プレートと、この可動床目地プレートの先端部が他方の躯体の側壁によって押し圧された場合に、該可動床目地プレートを前記端部床目地プレート上へ導く可動床目地プレート押し上げ手段と、前記端部床目地プレート上に押し上げられた前記可動床目地プレートを元の位置へ復帰させる復帰手段とからなることを特徴とする床用目地装置。
【請求項２】
目地部を介して設けられた両側壁を有する左右の躯体の両側壁側を除く部位の一方の床躯体に後端部が取付けられ、先端部が他方の床躯体上をスライド移動する浅皿状の床目地プレート本体を用いた中央床目地プレートと、この中央床目地プレートの両端部に位置するように一方の床躯体に後端部が取付けられ、先端部が他方の床躯体上をスライド移動する、該先端部が小幅寸法となる浅皿状の端部床目地プレート本体を用いた端部床目地プレートと、この端部床目地プレートの後端部の前記両側壁寄りの部位の一方の床躯体に後端部が枢支され、あるいは該端部床目地プレートの後端部寄りの部位に枢支され、先端部が他方の床躯体上をスライド移動する、該先端部が大きな幅寸法となり、かつ前記端部床目地プレートとでほぼ長方形上となる浅皿状の可動床目地プレート本体を用いた可動床目地プレートと、この可動床目地プレートの先端部が他方の躯体の側壁によって押し圧された場合に、該可動床目地プレートを前記端部床目地プレート上へ導く可動床目地プレート押し上げ手段と、前記端部床目地プレート上に押し上げられた前記可動床目地プレートを元の位置へ復帰させる復帰手段と、前記可動床目地プレートの下端部の一方の床躯体に後端部が枢支され、先端部が他方の床躯体上にスライド移動可能に支持され、かつ先端部が常時他方の躯体の側壁に当接するように付勢された補助端部床プレートとからなることを特徴とする床用目地装置。
【請求項３】
可動床目地プレート押し上げ手段は端部床目地プレートの外側面に形成された下方が外方へ突出する傾斜面のガイド片と、このガイド片に沿って上方へ導かれる可動床目地プレートの端部床目地プレート側の側面に形成された上方が外方へ突出する傾斜面のガイド片とで構成されていることを特徴とする請求項１あるいは請求項２いずれかに記載の床用目地装置。
【請求項４】
復帰手段は可動床目地プレートの先端部を、常時他方の躯体の側壁に当接するように付勢する付勢スプリングと、可動床目地プレートと端部床目地プレートとの間に隙間が生じないように、該可動床目地プレートの移動を阻止するストッパーとで構成されていることを特徴とする請求項１あるいは請求項２いずれかに記載の床用目地装置。
【発明の詳細な説明】
【技術分野】
【０００１】
本発明は目地部を介して設けられた両側壁を有する左右の躯体の左右の躯体間の床面を並列させた浅皿状の床目地プレート本体を用いた床目地プレートで覆う床用目地装置に関する。
【背景技術】
【０００２】
従来、左右の躯体に側壁が設けられた部位に設置される浅皿状の床目地プレート本体を用いた床目地装置は、左右の躯体の異なる前後方向の揺れ動きを吸収するため、両端部の浅皿状の床用目地プレート本体を用いた端部床目地プレートを隣りの目地プレートへもぐり込ませたり、上方へ乗り上げさせて、その揺れ動きを吸収することが、本出願人により（特願２００８−１５６８９０号）で考えられている。
【０００３】
しかしながら、このように構成された床用目地装置は端部床目地プレートの後端部を前後方向にスライド移動可能に支持する支持レールが必要で、端部床目地プレートが重く、人手では前後方向のスライド移動させての動作確認が容易にできないという欠点があった。
【先行技術文献】
【特許文献】
【０００４】
【特許文献１】特願２００８−１５６８９０号
【発明の概要】
【発明が解決しようとする課題】
【０００５】
本発明は以上のような従来の欠点に鑑み、端部床目地プレートをスライド移動可能に支持する支持レールが不要で、端部床目地プレートに取付けられた可動床目地プレートを人手で容易に前後方向のスライド移動できるようにして、その動作確認を容易にできる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた両側壁を有する左右の躯体の両側壁側を除く部位の一方の床躯体に後端部が取付けられ、先端部が他方の床躯体上をスライド移動する浅皿状の床目地プレート本体を用いた中央床目地プレートと、この中央床目地プレートの両端部に位置するように一方の床躯体に後端部が取付けられ、先端部が他方の床躯体上をスライド移動する、該先端部が小幅寸法となる浅皿状の端部床目地プレート本体を用いた端部床目地プレートと、この端部床目地プレートの後端部の前記両側壁寄りの部位の一方の床躯体に後端部が枢支され、あるいは該端部床目地プレートの後端部寄りの部位に枢支され、先端部が他方の床躯体上をスライド移動する、該先端部が大きな幅寸法となり、かつ前記端部床目地プレートとでほぼ長方形上となる浅皿状の可動床目地プレート本体を用いた可動床目地プレートと、この可動床目地プレートの先端部が他方の躯体の側壁によって押し圧された場合に、該可動床目地プレートを前記端部床目地プレート上へ導く可動床目地プレート押し上げ手段と、前記端部床目地プレート上に押し上げられた前記可動床目地プレートを元の位置へ復帰させる復帰手段とで床用目地装置を構成している。
【発明の効果】
【０００９】
以上の説明から明らかなように、本発明にあっては次に列挙する効果が得られる。
（１）請求項１により、端部床目地プレート上へ左右の躯体が異なる前後方向に地震で揺れ動いた場合に、後端部を一方の床躯体に枢支した可動床目地プレートを押し上げてその揺れ動きを吸収するため、従来のように端部床目地プレートの後端部をスライド移動可能に支持する支持レールが不要で、容易に設置することができる。    
（２）請求項１により、左右の躯体が異なる前後方向に地震で揺れ動いても、重い端部床目地プレートを移動させることなく可動目地プレートだけを回動させて、その揺れ動きを吸収することができる。
したがって、設置時の動作確認は可動目地プレートを人手で容易に前後方向へスライド移動させて行うことができる。
（３）請求項１により、中央床目地プレートおよび端部床目地プレートの後端部を一方の床躯体に固定状態に取付けるので、従来のようにスライド移動可能に設置するものに比べ、その設置作業が容易で、楽に行なうことができる。
（４）請求項２も前記（１）〜（３）と同様な効果が得られるとともに、可動目地プレートの移動時に生じる隙間を補助端部床プレートで覆うことができ、安全に使用することができる。
（５）請求項３も前記（１）〜（３）と同様な効果が得られるとともに、可動床目地プレートをスムーズに端部床目地プレートへ押し上げることができる。
（６）請求項４も前記（１）〜（３）と同様な効果が得られるとともに、復帰手段によって可動床目地プレートと端部床目地プレートとの間に隙間が生じるのを効率よく阻止することができる。
【図面の簡単な説明】
【００１０】
【図１】本発明を実施するための第１の形態の平面図。
【図２】図１の２−２線に沿う断面図。
【図３】図1の３−３線に沿う断面図。
【図４】本発明を実施するための第１の形態の中央床目地プレートの説明図。
【図５】本発明を実施するための第１の形態の端部床目地プレートの説明図。
【図６】本発明を実施するための第１の形態の可動床目地プレートの説明図。
【図７】本発明を実施するための第１の形態の復帰手段の説明図。
【図８】本発明を実施するための第１の形態の補助端部床プレートの説明図。
【図９】本発明を実施するための第１の形態の目地部が狭くなった動作説明図。
【図１０】本発明を実施するための第１の形態の目地部が広くなった動作説明図。
【図１１】本発明を実施するための第１の形態の異なる前後方向に揺れ動いた一方の動作説明図。
【図１２】本発明を実施するための第１の形態の異なる前後方向に揺れ動いた他方の動作説明図。
【図１３】本発明を実施するための第２の形態の平面図。
【図１４】図１３の１４−１４線に沿う断面図。
【図１５】図１３の１５−１５線に沿う断面図。
【図１６】本発明を実施するための第３の形態の平面図。
【図１７】図１６の１７−１７線に沿う断面図。
【図１８】図１６の１８−１８線に沿う断面図。
【図１９】本発明を実施するための第３の形態の可動床目地プレートの説明図。
【図２０】本発明を実施するための第4の形態の平面図。
【図２１】図２０の２１−２１線に沿う断面図。
【図２２】図２０の２２−２２線に沿う断面図。
【図２３】本発明を実施するための第4の形態の端部床目地プレートの説明図。
【図２４】本発明を実施するための第4の形態の可動床目地プレートの説明図。
【図２５】本発明を実施するための第4の形態の異なる前後方向に揺れ動いた動作説明図。
【発明を実施するための形態】
【００１１】
以下、図面に示す本発明を実施するための形態により、本発明を詳細に説明する。
【００１２】
図１ないし図１２に示す本発明を実施するための第１の形態において、１は目地部２を介して設けられた両側壁３、３、３、３を有する左右の躯体４、4間を車両の走行が可能で、かつ地震の揺れ動きを吸収できるように接続する本発明の床用目地装置で、この床用目地装置1は前記左右の躯体４、４の一方の躯体4の目地部側床躯体に上部に目地プレートの厚さ寸法が有するように複数本のタッピングビス５等で固定された目地プレート支持台6と、前記左右の躯体４、４の他方の躯体４の目地部側床躯体の上面に前記目地部２の幅寸法の約２倍の反目地部側が傾斜面７に形成された目地プレートの厚さ寸法分の目地プレートスライド支持凹部８と、前記一方の躯体４の両側壁３、３を除く部位の、前記目地プレート支持台６に後端部が支持され、先端部が前記目地プレートスライド支持凹部８を覆うように他方の躯体４に支持された中央床目地プレート９、９と、この中央床目地プレート９、９の後端部両側部を先端部が上方へ回動可能に取付ける枢支ピン１０、１０と、前記中央床目地プレート９、９の両端部に位置するように前記目地プレート支持台６に枢支ピン１０、１０で後端部が取付けられ、先端部が前記目地プレートスライド支持凹部８をスライド移動する、該先端部が小幅寸法となるほぼ直角三角形状の端部床目地プレート１１、１１と、この端部床目地プレート１１、１１の両端部に位置し、後端部が前記目地プレート支持台６に枢支ピン１２、１２で上方へ移動可能に枢支され、先端部が前記目地プレートスライド支持凹部８にスライド移動する、該先端部が大きな幅寸法となり、かつ前記端部床目地プレート１１、１１とでほぼ長方形状になるほぼ直角三角形状の可動床目地プレート１３、１３と、この可動床目地プレート１３、１３の先端部が他方の躯体４の側壁３、３によって押し圧された場合に、該可動床目地プレート１３、１３を前記端部床目地プレート１１、１１上へ導く可動床目地プレート押し上げ手段１４、１４と、前記端部床目地プレート１１、１１上に押し上げられた前記可動床目地プレート１３、１３を元の位置へ復帰させる復帰手段１５、１５と、必要に応じて、地震により前記左右の躯体４、４が異なる前後方向に揺れ動いた場合に隙間を生じさせないために設けられる前記可動床目地プレート１３、１３の下端部の一方の床躯体４に後端部が枢支ピン１６、１６で枢支され、先端部が他方の床躯体４上にスライド移動可能に支持され、かつ先端部が常時他方の躯体４の側壁３、３に当接するように付勢された補助端部床プレート１７、１７とで構成されている。
【００１３】
前記中央床目地プレート９、９は図４に示すように、金属材製の浅皿状で、先端部が傾斜面１８の中央床目地プレート本体１９と、この中央床目地プレート本１９体内に充填されたコンクリートあるいはモルタル２０と、このコンクリートあるいはモルタル２０の上面に敷設されたレンガやタイル等の床化粧体２１と、前記中央床目地プレート本体１９の後端両側部の底面に形成され前記枢支ピン１０、１０を取付ける枢支ピン取付部２２、２２とで構成されている。
【００１４】
前記端部床目地プレート１１、１１は図５に示すように、金属材製でほぼ直角三角形状の浅皿状で、先端部が傾斜面２３の端部床目地プレート本体２４と、この端部床目地プレート本体２４内に充填されたコンクリートあるいはモルタル２５と、このコンクリートあるいはモルタル２５の上面に敷設されたレンガやタイル等の床化粧体２６と、前記端部床目地プレート本体２４の後端両側部の底面に形成された前記枢支ピン１０、１０を取付ける枢支ピン取付部２７、２７と、前記端部床目地プレート本体２４の前記中央床目地プレート９と反対側の面に形成された前記可動床目地プレート押し上げ手段１４の一部を構成する下部が外方へ突出する傾斜面のガイド片２８とで構成されている。
【００１５】
前記可動床目地プレート１３、１３は図６に示すように、金属材製でほぼ直角三角形状の浅皿状で、先端部が傾斜面２９の可動床目地プレート本体３０と、この可動床目地プレート本体３０内に充填されたコンクリートあるいはモルタル３１と、このコンクリートあるいはモルタル３１の上面に敷設されたレンガやタイル等の床化粧体３２と、前記可動床目地プレート本体３０の後端部の底面に形成された、前記枢支ピン１２、１２を取付ける枢支ピン取付部３３と、前記可動床目地プレート本体３０の前記端部床目地プレート１１側の面に形成された、前記可動床目地プレート押し上げ手段１４の一部を構成する上部が外方へ突出する傾斜面のガイド片３４とで構成されている。
【００１６】
前記復帰手段１５は図７に示すように、前記可動床目地プレート１３、１３の先端部を常時他方の躯体４の側壁３、３に当接するように一方の躯体４に他端部が取付けられた付勢スプリング３５、３５と、前記可動床目地プレート１３、１３と端部床目地プレート１１、１１との間に隙間が生じないように、該可動床目地プレート１３、１３の移動を一方の躯体４に当接させて阻止する可動床目地プレート本体３０、３０の後端部に形成されたストッパー３６、３６とで構成されている。
【００１７】
前記補助端部床プレート１７、１７は図８に示すように、一方の躯体４の側壁３、３近傍の前記端部床目地プレート１１、１１の下部位置に後端部が枢支ピン１６で水平方向に回動可能に取付けられ、かつ先端部が前記目地プレートスライド支持凹部８にスライド移動可能に支持される金属板製の補助端部床プレート本体３７、３７と、この補助端部床プレート本体３７、３７の先端部を常時他方の躯体４の側壁３、３に当接するように他端部が前記一方の躯体４に取付けられた付勢スプリング３８、３８とで構成されている。
【００１８】
上記構成の床用目地装置１は地震で左右の躯体４、４が揺れ動き、目地部２が狭くなると、図９に示すように中央床目地プレート９、９、端部床目地プレート１１、１１、可動床目地プレート１３、１３および補助端部床プレート１７、１７の先端部が目地プレートスライド支持凹部８をスライド移動して、該先端部が他方の躯体４の床面上へ突出して、その揺れ動きを吸収する。
【００１９】
地震によって左右の躯体４、４が揺れ動き、目地部２が広くなると、図１０に示すように中央床目地プレート９、９、端部床目地プレート１１、１１、可動床目地プレート１３、１３および補助端部床プレート１７、１７の先端部が目地プレートスライド支持凹部８内をスライド移動して、その揺れ動きを吸収する。
【００２０】
地震により左右の躯体４、４が異なる前後方向に揺れ動いた場合、図１１および図１２に示すように一方の可動床目地プレート１３の先端部が他方の躯体４の側壁３によって押し圧されるので、可動床目地プレート押し上げ手段１４によって端部床目地プレート１１上へ可動床目地プレート１３が復帰手段１５の付勢スプリング３８の付勢力に抗して移動する。
【００２１】
この時、反対側にある補助端部床プレート１７の先端部は付勢スプリング３８の付勢力で他方の躯体４の側壁３に当接するように移動して、一方の躯体４と他方の躯体４の側壁３、３、３、３間に生じる隙間を阻止することができる。
【００２２】
なお、地震の揺れ動きが停止すると中央床目地プレート９、９、端部床目地プレート１１、１１、可動床目地プレート１３、１３および補助端部床プレート１７、１７が一方の躯体４に固定された目地プレート支持台６に枢支ピン１０、１０、１０、１０、１０、１０、１０、１０、１２、１２、１６、１６で取付けられているとともに、復帰手段１５や補助端部床プレート１７の付勢スプリング３５、３８によって元の位置へ自動的に戻る。
【００２３】
[発明を実施するための異なる形態]
次に、図１３ないし図２４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１３ないし図１５に示す本発明を実施するための第２の形態において、前記本発明を実施するための第１の形態と主に異なる点は、中央床目地プレート９Ａ、９Ａ、端部床目地プレート１１Ａ、１１Ａ、可動床目地プレート１３Ａ、１３Ａの先端部を直角となる中央床目地プレート本体１９Ａ、１９Ａ、端部床目地プレート本体２４Ａ、２４Ａ、可動床目地プレート本体３０Ａ、３０Ａを用いるとともに、該先端部にそれぞれヒンジ部材３９、３９、３９、３９、３９、３９を介してカバープレート４０、４０、４０、４０、４０、４０を設けた点で、このような中央床目地プレート９Ａ、９Ａ、端部床目地プレート１１Ａ、１１Ａ、可動床目地プレート１３Ａ、１３Ａを用いて構成した床用目地装置１Ａにしても、前記本発明を実施するための第１の形態と同様な作用効果が得られる。
【００２５】
図１６ないし図１９に示す本発明を実施するための第３の形態において、前記本発明を実施するための第１の形態と主に異なる点は、一方の躯体４の目地部側の床躯体に目地プレート支持凹部４１を形成して、中央床目地プレート９、９、端部床目地プレート１１、１１および２分割され、それぞれ重なり合う可動床目地プレート１３Ｂ、１３Ｃ、１３Ｂ、１３Ｃの後端部を支持させた点で、このように構成された床用目地装置１Ｂにしても、前記本発明を実施するための第１の形態と同様な作用効果が得られる。
【００２６】
なお、本発明を実施する形態では、小さな異なる前後方向の揺れの場合には、側壁３側の可動床目地プレート１３Ｂが隣り合う可動床目地プレート１３Ｃ上へ移動することで、その揺れ動きを吸収し、大きな異なる前後方向の揺れ動きの場合には、側壁３側の可動床目地プレート１３Ｂが隣り合う可動床目地プレート１３Ｃ上に移動した後、可動床目地プレート１３Ｂ、１３Ｃが重なった状態で端部床目地プレート１１、１１上へ移動して、その揺れ動きを吸収する。
【００２７】
図２０ないし図２４に示す本発明を実施するための第４の形態において、前記本発明を実施するための第１の形態と主に異なる点は、端部床目地プレート１１Ｂ、１１Ｂの後端部寄りの外側部位の底面より外方突出する支持台４２を形成し、該支持台４２に後端部に形成した支持部４３が支持される後部が弧状の可動床目地プレート１３Ｄ、１３Ｄを用いるとともに、この可動床目地プレート１３Ｄ、１３Ｄの支持部４３、４３を前記支持台４２に上下移動可能でかつ、該可動床目地プレート１３Ｄ、１３Ｄを前記端部床目地プレート１１Ｂ、１１Ｂ上へ回動状態で位置できるように常時下方へ付勢するスプリング４４で付勢された枢支軸４５、４５で枢支した点で、このように構成した床用目地装置１Ｃにしても、前記本発明を実施するための第１の形態と同様な作用効果が得られる。
【００２８】
なお、前記本発明を実施するための各形態では、２個の中央床目地プレートを用いるものについて説明したが、本発明はこれに限らず、１個または３個以上であってもよい。
【産業上の利用可能性】
【００２９】
本発明は両側壁を有する左右の躯体間を接続する床用目地装置を製造する産業で利用される。
【符号の説明】
【００３０】
１、１Ａ、１Ｂ、１Ｃ：床用目地装置、
２：目地部、                      ３：側壁、
４：躯体、                        ５：タッピングビス、
６：目地プレート支持台、          ７：傾斜面、
８：目地プレートスライド支持凹部、
９、９Ａ：中央床目地プレート、  １０：枢支ピン、
１１、１１Ａ：端部床目地プレート、
１２：枢支ピン、                １３、１３Ａ〜１３Ｄ：可動床目地プレート、
１４：可動床目地プレート押し上げ手段、
１５：復帰手段、                １６：枢支ピン、
１７：補助端部床プレート、      １８：傾斜面、
１９、１９Ａ：中央床目地プレート本体、
２０：コンクリートあるいはモルタル、
２１：床化粧体、                ２２：枢支ピン取付部、
２３：傾斜面、
２４、２４Ａ：端部床目地プレート本体、
２５：コンクリートあるいはモルタル、
２６：床化粧体、                ２７：枢支ピン取付部、
２８：ガイド片、                ２９：傾斜面、
３０、３０Ａ：可動床目地プレート本体、
３１：コンクリートあるいはモルタル、
３２：床化粧体、                ３３：枢支ピン取付部、
３４：ガイド片、                ３５：付勢スプリング、
３６：ストッパー、              ３７：補助端部床プレート本体、
３８：付勢スプリング、          ３９：ヒンジ部材、
４０：カバープレート、          ４１：目地プレート支持凹部、
４２：支持台、                  ４３：支持部、
４４：スプリング                ４５：枢支軸。
【図１】
2011052438.tif 000003
【図２】
2011052438.tif 000004
【図３】
2011052438.tif 000005
【図４】
2011052438.tif 000006
【図５】
2011052438.tif 000007
【図６】
2011052438.tif 000008
【図７】
2011052438.tif 000009
【図８】
2011052438.tif 000010
【図９】
2011052438.tif 000011
【図１０】
2011052438.tif 000012
【図１１】
2011052438.tif 000013
【図１２】
2011052438.tif 000014
【図１３】
2011052438.tif 000015
【図１４】
2011052438.tif 000016
【図１５】
2011052438.tif 000017
【図１６】
2011052438.tif 000018
【図１７】
2011052438.tif 000019
【図１８】
2011052438.tif 000020
【図１９】
2011052438.tif 000021
【図２０】
2011052438.tif 000022
【図２１】
2011052438.tif 000023
【図２２】
2011052438.tif 000024
【図２３】
2011052438.tif 000025
【図２４】
2011052438.tif 000026
【図２５】
2011052438.tif 000027